(57)【要約】【課題】  蓋体の開放位置であっても、係止部を蓋体から外部に向けて突出せず安全性に優れ、かつ挿通孔に物が落ちたり指等が挟まることのない天板に備えられた蓋体のロック装置を提供すること。【解決手段】  ロック装置は、蓋体４の前部に設けた被係止部４ｂと、この被係止部４ｂと係脱可能な天板３側に設けた係止部１８と、この係止部１８を作動させる天板３側に設けた操作手段１６，２１とを備え、該操作手段を操作することで、係止部１８が天板３の上面前部に穿設された挿通孔６ａから上方に突出して被係止部４ｂと係合する係合位置と、係止部１８の上端部１８ａが前記挿通孔６ａと略面一をなして挿通孔６ａの略全体を閉塞する係合解除位置とのいずれかをとるようにしている。【選択図】  図５
2006158502.tif 000002
【特許請求の範囲】
【請求項１】
天板と、該天板上に載置された機器を覆う閉塞位置と該機器の上方が開放される開放位置との間で移動しうる蓋体と、該蓋体を、蓋体の閉塞位置において開放不能に保持しうるロック装置とを備える机において、前記ロック装置は、前記蓋体の前部に設けた被係止部と、前記被係止部と係脱可能な天板側に設けた係止部と、該係止部を作動させる天板側に設けた操作手段とを備え、該操作手段を操作することで、前記係止部が前記天板の上面前部に穿設された挿通孔から上方に突出して前記被係止部と係合する係合位置と、前記係止部の上端部が前記挿通孔と略面一をなして挿通孔の略全体を閉塞する係合解除位置とのいずれかをとるようにしたことを特徴とする天板に備えられた蓋体のロック装置。
【請求項２】
前記係止部の上下方向中間部に略縦長の長孔を設け、該長孔に天板側に設けた固定ピンを摺動可能に挿通させ、前記係止部の下端部を前記操作手段に回動可能に軸支させ、該操作手段の略水平方向の左右移動により、前記係合位置と係合解除位置間で前記係止部を移動制御させた請求項１に記載の天板に備えられた蓋体のロック装置。
【請求項３】
前記操作手段は電動アクチュエータを備えた施解錠の切替操作によって制御される請求項１または２に記載の天板に備えられた蓋体のロック装置。
【請求項４】
前記操作手段が、複数の係止部を同時に作動する操作バーで構成されている請求項１乃至３のいずれかに記載の天板に備えられた蓋体のロック装置。
【請求項５】
前記操作バーを、前記係止部を作動させる複数作動バーと、該複数の作動バーを相互に連結する連動バーとで構成した請求項４に記載の天板に備えられた蓋体のロック装置。
【請求項６】
前記挿通孔を前記天板に着脱可能な閉塞板に形成させた請求項１乃至５のいずれかに記載の天板に備えられた蓋体のロック装置。
【発明の詳細な説明】
【技術分野】
【０００１】
本発明は、天板と、該天板上に載置された複数の機器を各々覆う閉塞位置と該機器の上方が開放される開放位置との間で移動しうる複数の蓋体と、該各蓋体を、蓋体の閉塞位置において同時に開放不能に保持しうるロック装置とを備えた蓋体のロック装置に関する。
【背景技術】
【０００２】
従来の机やテーブル等には、天板に載置された機器を覆うようにして、天板上部を閉蓋可能な上蓋が上方に向けて開放可能に設けられており、この上蓋に位置固定可能なロック装置が設けられている。このロック装置は上蓋側に係止部である施錠杆が、天板の前端側に施錠杆と係合可能なラッチ杆とが設けられている。
【０００３】
そして電磁錠の通電状態で施錠杆がラッチ杆と非係合となり、上蓋の開放を行って、天板上の設置されるパソコン等の機器類を使用可能な状態にし、電磁錠の非通電状態で施錠杆がラッチ杆と係合し、上蓋が開放不能となるロック装置が知られている（例えば、特許文献１参照）。
【０００４】
また、他の従来例の一例として、天板の前端上面部に、蓋に設けられたフック部を有する係合部材を挿通可能な係止穴が形成されており、天板に蓋を閉蓋した際に係合部材が係止穴内に挿通され、自動的に蓋が閉位置にロックされ、ソレノイドに電流を流すと、係合部材が移動して係止穴から離脱し、蓋は上方に開放可能となる机の電動ロック機構も公知である（例えば、特許文献２参照）。
【０００５】
【特許文献１】実用新案登録２５５５５７２号公報（段落００１５〜段落００１７、第６図）
【特許文献２】実開平５−８７１７６号公報（段落００１５〜段落００１７、図３、図４）
【発明の開示】
【発明が解決しようとする課題】
【０００６】
しかしながら、特許文献１および特許文献２にあっては、施錠杆や係合部材が蓋体より突出した状態になっているため、蓋体を天板に閉蓋位置または天板から蓋体を開放位置に移動する際に利用者の指や服等に施錠杆や係合部材が引っ掛かる等の恐れがあり安全性の面で問題があった。
【０００７】
また、特に特許文献２にあっては、天板に係合部材が挿通可能な係止穴が形成されているので、蓋体が天板から開放された位置では外部に係止穴が大きく露出された状態となり、例えば係止穴にゴミ等が入るために清潔感にかけ、また物が落ちたり挟まったりした場合、あるいは悪戯によりを何かで係止穴が埋められたような場合に、係合部材を係止穴に係合させることが困難となる不具合があった。
【０００８】
本発明は、このような問題点に着目してなされたもので、蓋体の開放位置であっても、係止部を蓋体から外部に向けて突出せず安全性に優れ、かつ挿通孔に物が落ちたり指等が挟まることのない天板に備えられた蓋体のロック装置を提供することを目的とする。
【課題を解決するための手段】
【０００９】
上記課題を解決するために、本発明の請求項１に記載の天板に備えられた蓋体のロック装置は、天板と、該天板上に載置された機器を覆う閉塞位置と該機器の上方が開放される開放位置との間で移動しうる蓋体と、該蓋体を、蓋体の閉塞位置において開放不能に保持しうるロック装置とを備える机において、前記ロック装置は、前記蓋体の前部に設けた被係止部と、前記被係止部と係脱可能な天板側に設けた係止部と、該係止部を作動させる天板側に設けた操作手段とを備え、該操作手段を操作することで、前記係止部が前記天板の上面前部に穿設された挿通孔から上方に突出して前記被係止部と係合する係合位置と、前記係止部の上端部が前記挿通孔と略面一をなして挿通孔の略全体を閉塞する係合解除位置とのいずれかをとるようにしたことを特徴としている。
この特徴によれば、係止部の係合解除位置で、係止部の上端部が天板の上面と略面一をなして挿通孔の略全体を閉塞するようにしたので、係止部が天板から突出することがなく安全性に優れ、挿通孔に物が落ちたり指が挟まったりすることが極力避けられる。
【００１０】
本発明の請求項２に記載の天板に備えられた蓋体のロック装置は、請求項１に記載の天板に備えられた蓋体のロック装置であって、前記係止部の上下方向中間部に略縦長の長孔を設け、該長孔に天板側に設けた固定ピンを摺動可能に挿通させ、前記係止部の下端部を前記操作手段に回動可能に軸支させ、該操作手段の略水平方向の左右移動により、前記係合位置と係合解除位置間で前記係止部を移動制御させたことを特徴としている。
この特徴によれば、係止部が支点を介して円弧運動するものと比較して、係止部の水平方向における左右の移動量を少なくすることができるため、挿通孔の幅を狭く設計でき、係止部の係合解除位置で、係止部の上端部が挿通孔の略全面を閉塞することが可能となる。
【００１１】
本発明の請求項３に記載の天板に備えられた蓋体のロック装置は、請求項１または２に記載の天板に備えられた蓋体のロック装置であって、前記操作手段は電動アクチュエータを備えた施解錠の切替操作によって制御されることを特徴としている。
この特徴によれば、電動アクチュエータを備えた施解錠によって操作手段を作動するので、施解錠をマニュアル操作でも、遠隔操作でも対応可能に構成できる。
【００１２】
本発明の請求項４に記載の天板に備えられた蓋体のロック装置は、請求項１乃至３のいずれかに記載の天板に備えられた蓋体のロック装置であって、前記操作手段が、複数の係止部を同時に作動する操作バーで構成されていることを特徴としている。
この特徴によれば、天板上に複数の蓋体が存在していても操作バーの作動によりロック装置の作動を同時に行うことができる。
【００１３】
本発明の請求項５に記載の天板に備えられた蓋体のロック装置は、請求項４に記載の天板に備えられた蓋体のロック装置であって、前記操作バーを、前記係止部を作動させる複数作動バーと、該複数の作動バーを相互に連結する連動バーとで構成したことを特徴としている。
この特徴によれば、作動バーと連動バーとを組み合わせ連結することで、天板上の蓋体の数に合わせて係止部を容易に増設することができる。
【００１４】
本発明の請求項６に記載の天板に備えられた蓋体のロック装置は、請求項１乃至５のいずれかに記載の天板に備えられた蓋体のロック装置であって、前記挿通孔を前記天板に着脱可能な閉塞板に形成させたことを特徴としている。
この特徴によれば、係止部の作動空間と挿通孔を別々に形成でき天板の加工が容易であると共に、閉塞板を取り外すことでロック装置の一部である係止部およびその近傍のメンテナンスを容易に行うことができる。
【発明を実施するための最良の形態】
【００１５】
本発明の実施例を以下に説明する。
【実施例】
【００１６】
図１は、本発明の実施例における天板にロック装置を備えた机の一部蓋体が開放された正面全体像を示す斜視図であり、図２は、机の全ての蓋体が閉じられた背面全体像を示す斜視図であり、図３は、図２のＢ−Ｂ線を示す側断面図であり、図４は、ロック装置の構造を示す分解組立斜視図であり、図５（ａ）は、図１のＡ−Ａ線を示す要部拡大断面図でありロック装置の係合解除位置が示され、図５（ｂ）は、図５（ａ）のＣ−Ｃ線を示す要部拡大平面図であり、図６（ａ）は、ロック装置の係合解除位置から係合位置までの移動の中途過程を示す要部拡大断面図であり、図６（ｂ）は、ロック装置の係合位置を示す要部拡大断面図である。
【００１７】
本発明における机は、主としてノート型パソコン等の機器を常設させる学校内の専門教室に設置されるもので、教室の不使用時に机の天板上に設置される機器に蓋体を閉蓋させ、この蓋体を天板にロックさせることで、機器の盗難防止および外部からの破損防止を目的として利用されている。
【００１８】
そこで、本発明の実施例を図面に基づいて説明すると、図１に示されるように机１は、主に一対の脚柱２，２’と、脚柱２，２’の上端に支持固定された天板３と、一対の脚柱２，２’間に設けられた幕板２ａと、天板３上面の長さ方向に沿って並列された３つの蓋体４と、から構成されている。これら３つの蓋体４により天板３が３つに区画されており、各区画毎に機器３０を載置可能になっている。
【００１９】
以下、本実施例の説明において、机１の正面側を前方をとし、机１の背面側を後方とし、一方の脚柱２側を左方とし、他方の脚柱２’側を右方として説明する。なお、３つの蓋体４の構造は同一構造であるので、本実施例では適宜、一つの蓋体４の構造について以下に説明し、他の蓋体４，４の説明は割愛する。
【００２０】
そこで蓋体４について説明すると、蓋体４は上面を構成する蓋材４ｅと、蓋材４ｅの下面前端を支持する前面板４ａと、蓋材４ｅの下面の左右に設けられた側面フレーム４ｄ，４ｄと、前面板４ａの背面側に設けられた後述する断面略逆Ｌ字型の被係止部としての係合片４ｂと、から構成されている。この蓋体４の側面フレーム４ｄ，４ｄの後端部は、天板３上部後方に一対で立設された支持フレーム３ｂ，３ｂにそれぞれ回転軸５で軸支されており、蓋体４はこの回転軸５を中心に旋回可能な構成となっている。
【００２１】
天板３の前端部には後で詳述する閉塞板６が各区画毎に設けられており、この閉塞板６の略中央位置に挿通孔６ａが穿設され、蓋板４の係合片４ｂの下端面の中央位置には挿通孔６ａより若干大きい係合孔４ｃが形成されており、蓋体４の閉塞時に挿通孔６ａと係合孔４ｃとの位置が略同位置で重なる（図５参照）ようになっている。
【００２２】
天板３の前端部の下面には鍵ユニット２２が設けられており、右側正面から施解錠ランプ２２ｂ、全旋錠ランプ２２ａ、および蓋体４を開放不能にロックする電動アクチュエータを備えた施解錠（以下「施解錠」という）２１が設けられている。天板３上面の後方位置からは、背面フレーム３ｃがやや斜め前方に向けて立設されており、背面フレーム３ｃによって蓋体４の閉塞時であっても、蓋体４の後方側が外部に開放されないようになっている。
【００２３】
図２に示されるように、蓋体４を閉塞させた状態では、機器３０の外周が天板３，蓋材４ｅ，前面板４ａ，背面フレーム３ｃ，側面フレーム４ｄ，４ｄに囲繞されることで機器３０が外部から遮蔽され、蓋体４を上方に開放しない限り、機器３０を取り出せないようになっている。さらに、蓋材４ｅの上面が天板３の上面に対して略水平になるように、前面板４ａの背面に設けられた係合片４ｂを天板に支持させることで、各蓋体４の蓋材４ｅを天板３の代用として使用することが可能になっている。また、左方位置の蓋体４に対応する背面フレーム３ｃの左側端部には、施解錠ランプ３ｅおよび全施錠ランプ３ｄが設けられている。
【００２４】
次いで、図３に示されるように、蓋体４は回転軸５を中心に開放位置または閉塞位置に旋回移動可能になっている。この蓋体４の閉塞位置において、前面板４ａ背面にネジ等で固定された係合片４ｂが鍵ユニット２２により開放不能に保持されている。
【００２５】
施解錠２１には、旋錠信号および解錠信号等の各種信号の送受信を行う信号ケーブルと、電力を供給する給電ケーブルと、を含む通信ケーブル２６が、脚柱２’内部に設けられた中継装置２５に各々接続され、施解錠２１に隣接して設けられた全旋錠ランプ２２ａおよび施解錠ランプ２２ｂにも、通信ケーブル２６を介して中継装置２５に各々接続されている（図１参照）。
【００２６】
背面フレーム３ｃに設けられた全旋錠ランプ３ｄおよび施解錠ランプ３ｅにおいても、通信ケーブル２６を介して中継装置２５に各々接続されている（図２、３参照）。この中継装置２５は、本実施例においては特に図示しないが、教室内に設けられた中央制御装置に通信ケーブル２６を介して接続され、中継装置２５と旋錠信号および解錠信号等の各種信号の送受信を相互に行えるようになっている。なお、ここでいう全旋錠ランプ３ｄ，２２ａとは、図１に示した３つの蓋体４を連ねて配置された机１が複数配備されている場合に、全部の蓋体４の施錠状態を報知するランプであるが、本実施例においては、一つの机に３つの蓋体４が配置された例で説明するので、その３つの蓋体４の施錠状態を報知するランプとして取り扱う。
【００２７】
机１の正面側に設けられた全旋錠ランプ２２ａと施解錠ランプ２２ｂと（図１参照）、机１の背面側に設けられた全旋錠ランプ３ｄと施解錠ランプ３ｅと（図２参照）、の点灯および消灯の制御について簡単に説明すると、全旋錠ランプ２２ａ，３ｄは緑ＬＥＤ、施解錠ランプ２２ｂ，３ｅは赤ＬＥＤが用いられており、全ての蓋体４の開放時には、机の上の複数の蓋体４の施解錠状態を報知する施解錠ランプ２２ｂ，３ｅは点灯状態（３つの蓋体はすべて開錠状態にある。）で、全旋錠ランプ２２ａ，３ｄは、本実施例では一個の机だけで説明してあるので消灯状態（３つの蓋体はすべて開錠状態にある。）となる。
【００２８】
また、全ての蓋体４の閉塞状態時にロック装置１４で、全ての蓋体４を開放不能にロックさせた場合には、全旋錠ランプ２２ａ，３ｄが点灯状態で、施解錠ランプ２２ｂ，３ｅが消灯状態となる。また、一部または全ての蓋体４がロックされない場合や、一部の蓋体４を開放した状態で他の蓋体４がロックされた場合等においては、全旋錠ランプ２２ａ，３ｄが消灯状態で、施解錠ランプ２２ｂ，３ｅが点滅状態となる。つまり、ロック装置１４の制御に何らかの不具合が発生した場合には、施解錠ランプ２２ｂ，３ｅが点滅されエラー報知される構成になっている。
【００２９】
このように机１の正面側からは全旋錠ランプ２２ａの点灯・消灯、施解錠ランプ２２ｂの点灯・消灯・点滅によって各蓋体４の状態を一目で簡便に視認させることができ、背面側からも全旋錠ランプ３ｄの点灯・消灯、施解錠ランプ３ｅの点灯・消灯・点滅によって各蓋体４の施解錠状態を一目で簡便に視認することができる。
【００３０】
次に、ロック装置１４について詳細に説明すると、図４に示されるようにロック装置１４は、主に蓋体４の前部に設けられた係合片４ｂ（本実施例では３つ）と、薄板状の閉塞板６（本実施例では３枚）と、係止部に相当するカマ錠１８（本実施例では３つ）と、カマ錠１８を移動制御する作動バー１６（本実施例では３枚）と、隣り合う作動バー１６，１６同士を連結する連動バー１７（本実施例では２枚）とからなり、施解錠２１の切替操作により作動バー１６が制御される。
【００３１】
天板３の前端部の左右方向には、上下に貫通する開口３ａが所定間隔で３箇所形成されており、これら開口３ａを閉蓋するように各閉塞板６がネジ２９で天板３に取り付けられている。各閉塞板６には左右方向に矩形の挿通孔６ａがそれぞれ形成され、各係合片４ｂには挿通孔６ａに対応する位置にそれぞれ係合孔４ｃが形成されている。
【００３２】
各連動バー１７の両端部には、各作動バー１６の端部に形成されたネジ孔１６ｃを介してビス２８で連結固定させて一本の操作バー１５が構成されている。連動バー１７を増やして作動バー１６を連結させれば、天板３上の蓋体４の数に合わせて適宜カマ錠１８を容易に増設させることが可能である。
【００３３】
各作動バー１６の中央位置には、カマ錠１８が軸ピン１６ｂで回動可能に固定されており、カマ錠１８の上下方向の中間部に略縦方向に長い長孔形の摺動孔１８ｃが形成されている。この摺動孔１８ｃには、開口３ａから前方に突設された固定ピン３ａ’が摺動可能に内挿されている。これにより、作動バー１６の水平方向移動に対して、固定ピン３ａ’を中心とするカマ錠１８の回動が左右方向に少なく上下方向に大きい旋回運動となる。
【００３４】
施解錠２１は、鍵の受け口である鍵口２１ｃと、鍵の手動回転および電気制御回転で回転制御される電動アクチュエータ２１ｂと、この電動アクチュエータ２１ｂの後端に後方向きに延設された偏心ピン２１ａとから構成され、この偏心ピン２１ａの先端部が右側の作動バー１６の右側端部に形成された上下向きの長孔１６ａに内挿されている。
【００３５】
なお、施解錠２１の電動アクチュエータ２１ｂの回動は鍵の手動回転で行うようになっているが、前述の図３に示された施解錠２１に接続された通信ケーブル２６および中継装置２５を介して、外部からの施解錠信号および給電により電動アクチュエータ２１ｂを回動制御させて、施解錠２１の作動を遠隔操作で行うことも可能となっている。
【００３６】
次いで、カマ錠１８と係合片４ｂとの係合および係合解除の関係について、図５および図６を用いて具体的に説明する。まず図５（ａ）に示されるように、カマ錠１８の上部には鈎状の鈎部１８ｂが形成され、中央部に固定ピン３ａ’を内挿した長孔の摺動孔１８ｃが形成され、下部に軸ピン１６ｂが軸着された下端部１８ｅが形成されている。
【００３７】
そして、閉塞板６は天板３の上面と面一になるようにネジ２９で天板３に螺合されて取り付けられ、この閉塞板６の挿通孔６ａ内には鈎部１８ｂの上端部１８ａが天板３および閉塞板６の上面と面一になる位置で、固定ピン３ａ’と下端部１８を軸支する軸ピン１６ｂによって位置固定されている。この閉塞板６と天板３の上面に係合片４ｂを載置させることで前述した蓋体４の閉蓋が行われる。
【００３８】
このように、天板３に形成された大径の開口３ａを閉塞板６で閉蓋させることで、天板３に挿通孔６ａを直に形成させるよりも、カマ錠１８の作動空間となる開口３ａと挿通孔６ａを別々に形成することで、天板の加工が容易となり、また閉塞板６を取り外すことで、開口３ａからカマ錠１８およびその近傍のメンテナンスを容易に行うことができる。
【００３９】
鍵ユニット２２内に設けられた作動バー１６の長孔１６ａには、摺動可能に内挿された偏心ピン２１ａ（図４参照）が長孔１６ａの中央に位置しており、後述する電動アクチュエータ２１ｂの回動により、この偏心ピン２１ａは右回り（時計回り）に２点鎖線で示した如く回動可能になっている。
【００４０】
このように、カマ錠１８の上端部１８ａが閉塞板６および天板３の上面と略面一をなした係合片４ｂとの係合が解除状態にあっては、図５（ｂ）に示されるように挿通孔６ａの略全体がカマ錠１８の上端部１８ａで閉塞した状態なので、カマ錠１８の鈎部１８ｂを上方に突出させることなく、機器３０の通常使用時の安全性が高められ、例えば挿通孔６ａに物が落ちたり指が挟まったりすることが極力避けることができる構成となっている。
【００４１】
次いで、カマ錠１８と係合片４ｂとの係合について説明する。施解錠２１の電動アクチュエータ２１ｂの回動により偏心ピン２１ａ（図５（ａ）参照）が右回りに１／４回転すると、図６（ａ）に示されるように、偏心ピン２１ａが長孔１６ａの下方に向けて摺動し、作動バー１６が通孔２２ｃ内を水平状態で左方に向けて移動され、軸ピン１６ｂで軸支されたカマ錠１８の下端部１８ｅも左方に移動されていく。
【００４２】
これにより、カマ錠１８の摺動孔１８ｃが固定ピン３ａ’に対して上方に摺動しながら、この固定ピン３ａ’を軸としてカマ錠１８が右回り（時計回り）に回動され、鈎部１８ｂが挿通孔６ａから係合孔４ｃを介して徐々に回動しながら上方に移動する。
【００４３】
さらに、電動アクチュエータ２１ｂの回動により偏心ピン２１ａが右回りに１／４回転すると、図６（ｂ）に示されるように、偏心ピン２１ａが長孔１６ａの中央位置に向けて摺動し、作動バー１６も偏心ピン２１ａの回動により、水平状態で更に左方に向けて移動され、軸ピン１６ｂで軸支されたカマ錠１８の下端部１８ｅも左方に移動されていく。
【００４４】
すると、摺動孔１８ｃが固定ピン３ａ’に対して、さらに上方に摺動されながら、カマ錠１８が固定ピン３ａ’を軸として右回りに回動されていき、軸ピン１６ｂの位置が固定ピン３ａ’に対して垂直方向にほぼ重なる位置になると、鈎部１８ｂが係合孔４ｃを介して係合片４ｂに係合されてカマ錠１８と係合片４ｂとが係合状態となり、蓋体４が開放不能にロックされる。
【００４５】
このように、カマ錠１８の中間位置の摺動孔１８ｃ内に固定ピン３ａ’を摺動可能に挿通させることで、カマ錠１８の水平方向における左右の移動量を少なくすることができるため、閉塞板６の挿通孔６ａの左右幅を狭く抑えることができ、カマ錠１８の上端部１８ａで僅かな隙間を残して挿通孔６ａの略全体が閉塞可能となる。
【００４６】
なお、カマ錠１８と係合片４ｂの係合状態から、電動アクチュエータ２１ｂの回動により偏心ピン２１ａが右回りに１／２回転すると、作動バー１６が水平状態で右方に向けて移動し、係合片４ｂからカマ錠１８が解除されて、前述した図５（ａ）に示された偏心ピン２１ａの位置と同位置に戻り、天板３および閉塞板６の上面と、カマ錠１８の上端部１８ａが面一となって、カマ錠１８と係合片４ｂの係合が解除状態となり、蓋体４が開放可能となる。つまり、施解錠２１の電動アクチュエータ２１ｂの回動が右回りに１／２回動される毎に、カマ錠１８と係合片４ｂの係合状態と係合解除状態との切替えが繰り返し行われる構成になっている。
【００４７】
なお、他の２本の作動バー１６にそれぞれ設けられたカマ錠１８と係合片４ｂにおいても特に図示しないが、各作動バー１６が連動バー１７に連結され一本の操作バー１５を構成しているので（図４参照）、施解錠２１の偏心ピン２１ａの回動による施解錠切替によって、他の２本の作動バー１６も同様に連動され、カマ錠１８と係合片４ｂとの係合および係合解除が行われる。
【００４８】
このことから、天板３上に複数の蓋体４が存在していても、施解錠２１の切替操作によって操作手段である操作バー１５が水平状態で左方または右方に移動され、ロック装置１４に設けられた複数のカマ錠１８と係合片４ｂとの係合位置または係合解除位置を同時に切り替えられる。
【００４９】
以上実施例においては、蓋体４が開放位置にあっては、従来のように係止部であるカマ錠１８が蓋体４から外部に向けて突出せず、カマ錠１８の上端部１８ａで天板３側に形成された挿通孔６ａを略閉塞した状態となることから、挿通孔６ａに物が落ちたり指が挟まったりすることがなく、安全で悪戯がされにくい構造となっている。
【００５０】
そして、蓋体４の閉塞位置において、施解錠２１の回動でカマ錠１８を天板３前端の上面から上部に突設させて係合片４ｂに係合させることで、蓋体４を開放不能状態にすることができ、蓋体４を天板とした通常の机として使用可能となる。
【００５１】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、天板３の開口３ａに閉塞板６を取り付けているが、閉塞板６を使用せず天板３に直に挿通孔を形成させても良い。
【００５２】
また、上記実施例では、複数の作動バー１６と連動バー１７の連結により構成された操作バー１５を用いているが、例えば一本の板状バーに複数のカマ錠１８を設けるようにしても良い。
【００５３】
更に、上記実施例では、電気制御可能な施解錠２１が用いているが、本発明はこれに限定されるものではなく、電気制御をともなわない従来公知のマニュアル錠を用いても良い。
【図面の簡単な説明】
【００５４】
【図１】本発明の実施例における天板にロック装置を備えた机の一部蓋体が開放された正面全体像を示す斜視図である。
【図２】机の全ての蓋体が閉じられた背面全体像を示す斜視図である。
【図３】図２のＢ−Ｂ線を示す側断面図である。
【図４】ロック装置の構造を示す分解組立斜視図である。
【図５】（ａ）は、図１のＡ−Ａ線を示す要部拡大断面図でありロック装置の係合解除位置が示され、（ｂ）は、（ａ）のＣ−Ｃ線を示す要部拡大平面図である。
【図６】（ａ）は、ロック装置の係合解除位置から係合位置までの移動の中途過程を示す要部拡大断面図であり、（ｂ）は、ロック装置の係合位置を示す要部拡大断面図である。
【符号の説明】
【００５５】
１                机
２、２’          脚柱
３                天板
３ａ              開口
３ａ’            固定ピン
３ｂ              支持フレーム
３ｃ              背面フレーム
３ｄ              全旋錠ランプ
３ｅ              施解錠ランプ
４                蓋体
４ａ              前面板
４ｂ              係合片（被係止部）
４ｃ              係合孔
４ｄ              側面フレーム
４ｅ              蓋材
５                回転軸
６                閉塞板
６ａ              挿通孔
６ｂ              ネジ孔
１４              ロック装置
１５              操作バー
１６              作動バー
１６ａ            長孔
１６ｂ            軸ピン
１７              連動バー
１８              カマ錠（係止部）
１８ａ            上端部
１８ｂ            鈎部
１８ｃ            摺動孔
１８ｄ            軸孔
１８ｅ            下端部
２１              電動アクチュエータを備えた施解錠
２１ａ            偏心ピン
２１ｂ            電動アクチュエータ
２２              鍵ユニット
２２ａ            全旋錠ランプ
２２ｂ            施解錠ランプ
２２ｃ            通孔
２５              中継装置
２６              通信ケーブル（信号ケーブルと給電ケーブルを含む）
３０              機器
【図１】
2006158502.tif 000003
【図２】
2006158502.tif 000004
【図３】
2006158502.tif 000005
【図４】
2006158502.tif 000006
【図５】
2006158502.tif 000007
【図６】
2006158502.tif 000008